(57)【特許請求の範囲】
【請求項１】
多数枚ディスクチェンジャーを備えたオーディオ機器の動作を遠隔操作する遠隔操作装置において、
各々独立に軸回り方向に回動操作可能で、何れか一方が軸方向に移動操作可能な２段の回転操作子と、
上記２段の回転操作子の一方の回転操作子を軸方向に移動させて他方の回転操作子に機械的に結合させることにより２段の回転操作子を同時に回転操作可能とする結合手段と、
上記２段の回転操作子の各々の回転によって操作されるスイッチと、
上記一方の回転操作子の軸方向の移動によって操作されるスイッチと、
上記各スイッチの操作に基いて上記オーディオ機器の動作を制御する制御手段と、
を備え、
上記制御手段は、上記２段の回転操作子が上記結合手段によって機械的に結合されて同時に回転操作されたときに上記ディスクチェンジャー内のディスク選択動作が行なわれるように上記オーディオ機器を制御することを特徴とする遠隔操作装置。
【請求項２】
上記２段の回転操作子が上記結合手段によって機械的に結合されて同時に回転操作される状態において、上記２段の回転操作子の回転方向によって上記ディスクの選択方向が順方向か逆方向かを選択することを特徴とする請求項１に記載の遠隔操作装置。
【発明の詳細な説明】
【０００１】
【産業上の利用分野】
本発明は、多数枚ディスクチェンジャーを備えたオーディオ機器の動作を遠隔操作する遠隔操作装置に関する。
【０００２】
【従来の技術】
多数枚ディスクチェンジャーにおいては、リモートコマンダーと称される遠隔操作装置を接続し、この遠隔操作装置によってディスクチェンジャーの各種操作を行なうようにしたものが広く普及している。この遠隔操作装置は、ディスクチェンジャーのパネル面まで手を伸ばさなくとも当該機器を操作できるので、特に車載用ディスクチェンジャーにおいて便利である。
【０００３】
従来この種の遠隔操作装置としては、本出願人が先に提案した「特開平５−２０５５７８」に開示されるようなものがある。即ちこの遠隔操作装置は、軸回り方向に回動可能な複数段の回転操作子を有し、この各段の回転操作子を左右に回転させることによってディスクチェンジャー内のディスクの選択、音量調整や選曲等の操作が行なわれるようになっている。そしてこの遠隔操作装置では、各段の回転操作子の形状を異ならせて形成し、これによって各段の回転操作子を握ったときの感触で区別できるようにしてある。
【０００４】
このような遠隔操作装置によれば、手探り状態で簡単に操作を行えるので、運転をしながらの操作でも危険性は少ない。
【０００５】
【発明が解決しようとする課題】
しかしながら、上記従来の遠隔操作装置においては、各段の回転操作子の形状を変えただけでは手探り操作での判別は難しく、誤操作を生じる可能性が高くなる。多数枚ディスクチェンジャーでは、ディスク選択用の回転操作子を誤って操作した場合、一旦ディスク選択動作が始まると、動作が終了するまでに相当の時間を要するため、ディスクを選択し直すのに非常に手間がかかってしまい、特に車載用のディスクチェンジャーにおいては手探り状態で操作するため、この問題が生じやすかった。
【０００６】
本発明は斯る点に鑑みてなされたもので、ディスクチェンジャーにおけるディスク選択時の誤操作を確実に防止できる遠隔操作装置を提供することを目的とする。
【０００７】
【課題を解決するための手段】
上記の目的を達成するために本発明は、
多数枚ディスクチェンジャーを備えたオーディオ機器の動作を遠隔操作する遠隔操作装置において、
各々独立に軸回り方向に回動操作可能で、何れか一方が軸方向に移動操作可能な２段の回転操作子と、
２段の回転操作子の一方の回転操作子を軸方向に移動させて他方の回転操作子に機械的に結合させることにより２段の回転操作子を同時に回転操作可能とする結合手段と、
２段の回転操作子の各々の回転によって操作されるスイッチと、
一方の回転操作子の軸方向の移動によって操作されるスイッチと、
各スイッチの操作に基いてオーディオ機器の動作を制御する制御手段と、
を備え、
制御手段は、２段の回転操作子が上記結合手段によって機械的に結合されて同時に回転操作されたときにディスクチェンジャー内のディスク選択動作が行なわれるようにオーディオ機器を制御することを特徴とするものである。
【０００８】
上記の如く構成される本発明の遠隔操作装置では、ディスクチェンジャー内のディスクの選択動作を行なう場合には、２段の回転操作子の一方の回転操作子を軸方向に移動させて他方の回転操作子に機械的に結合させ、２段の回転操作子を同時に回転操作する必要があり、この操作は他の操作に比べて簡単には行なえないので、ディスク選択動作に係る誤操作を確実に防止することができる。
【０００９】
【実施例】
以下、図面を参照しながら本発明の実施例について説明する。
先ず、図１〜図７において、本発明による遠隔操作装置の機械的構造を示す。
【００１０】
図において１はディスクチェンジャーを備えたオーディオ機器の操作に用いる遠隔操作装置を全体として示し、この遠隔操作装置１は、二段の回転操作子１０及び１１と、多数の押圧操作子（押し釦）１３，２０，２１，２２，２３，２４とを有して構成されている。
【００１１】
２はこの遠隔操作装置１の筺体で、この筺体２を運転台の任意の位置に螺子止めや両面接着テープ等によって固定すると共に、この筺体２から導出されるコード３の先端のピンジャック４をオーディオ機器に接続して使用するものである。
【００１２】
筺体２の内部においては図５に示す如く基板５上にスイッチボックス６が固定されており、このスイッチボックス６からは、外軸７、中軸８、内軸９の３軸によりなる同軸構成の操作軸が上方に向って垂直に突出されている。
【００１３】
これら外軸７、中軸８、内軸９は夫々独立して動作されるもので、先ず外軸７は、その軸回り方向に左右一定の範囲内で回動可能で、かつ、軸回り方向の力が加えられていない状態では左右の回動範囲の中立点に復帰するようにスイッチボックス６内の弾発手段によって回動偏倚力が付与されており、この外軸７に下段の回転操作子１０を圧入等によって嵌合固定してある。
【００１４】
中軸８は外軸７より長く形成されてこの外軸７の上端から突出し、この中軸８もまた外軸７と同様に、軸回り方向に左右一定の範囲内で回動可能で、かつ、軸回り方向の力が加えられていない状態では左右の回動範囲の中立点に復帰するようにスイッチボックス６内の弾発手段によって回動偏倚力が付与されており、この中軸８に上段の回転操作子１１を圧入等によって嵌合固定してある。
【００１５】
またこの中軸８はその軸方向にも移動可能となされており、この中軸８をスイッチボックス６に向って押し込んだ状態からこの押し込み力が除かれると元の位置に復帰するように、回転操作子１０と１１の間には弾発手段としてバネ１２が介挿されている。
【００１６】
内軸９はさらに中軸８よりも長く形成されてこの中軸８の上端から突出し、この内軸９の上端部に押圧操作子としての押し釦１３が固定されている。この内軸９はその軸方向に移動可能で、かつ、スイッチボックス６に向って押し込まれた状態からこの押し込み力が除かれると元の位置に復帰するようにスイッチボックス６内の弾発手段によって偏倚力が付与されている。
【００１７】
上記外軸７、中軸８、内軸９の３軸の基部であるスイッチボックス６の中には、外軸７を右方向及び左方向に回動させたときに夫々オンとなる２個のスイッチと、中軸８を右方向及び左方向に回動させたときに夫々オンとなる２個のスイッチと、中軸８を押し込んだときにオンとなるスイッチ、及び内軸９を押し込んだときにオンとなるスイッチの計６個のスイッチが内蔵されており、これらの各種のスイッチによって後に詳述するような各種の機能の操作が行なわれる。
【００１８】
外軸７を操作する下段の回転操作子１０には、その周面に縦方向に長い複数本の突条部１４が左右対称位置に形成され、一方中軸８を操作する上段の回転操作子１１には、その周面の一部を平面的に切欠いた形状の切欠面部１５が左右対称に形成されており、回転操作子１０及び１１を回動操作するときには、これら突条部１４及び切欠面部１５を指先で掴んで操作することにより、滑りを少なくして操作性を良好とすると共に、指先で受ける感触の違いによって二段の回転操作子１０と１１を判別し易くしてある。
【００１９】
そしてこの二段の回転操作子１０と１１の間には、必要に応じてこの二段の回転操作子１０と１１とを機械的に結合する結合手段１６が設けられている。
この結合手段１６は、図５及び図７に明確に示されているように、下段の回転操作子１０側に形成される係合凹部１７と、これに対応して上段の回転操作子１１側に形成される係合凸起１８とによりなる。尚この結合手段１６は、より確実な結合が行なわれるように、２箇所において対称的に設けられている。
【００２０】
この結合手段１６は、通常の状態では係合凹部１７と係合凸起１８が互いに離隔して非係合状態にあり、このため回転操作子１０と１１とは夫々独立して回動操作されるようになっているも、図６に示す如く上段の回転操作子１１をバネ１２の偏倚力に抗して押し込んで中軸８と一体に軸方向に移動させると、係合凹部１７に係合凸起１８が係合して二段の回転操作子１０と１１が機械的に結合された状態となり、この状態で上段の回転操作子１１を軸回り方向に回動させることによって下段の回転操作子１０も一体的に軸回り方向に回動されることになる。
【００２１】
そしてこのように二段の回転操作子１０と１１が同時に回動操作されたときには、夫々の回転操作子１０と１１が持つ本来の機能とは全く別の機能の操作が行なわれるようになっている。この機能については後に詳しく説明する。
【００２２】
尚、図８は結合手段１６の他の構造例である。
即ちこの例は、上段の回転操作子１１側の係合凸起１８を鉤形の突出形状とすると共に、下段の回転操作子１０側の係合凹部１７の奥部に左右の回動方向の延長凹部１７ａ，１７ｂを形成し、結合時にはこの延長凹部１７ａまたは１７ｂに係合凸起１８の先端部が係合される構造としたものである。このような結合構造によれば、回転操作子１０と１１の結合状態において回動操作中に両者が外れることはなく、より確実な操作が可能となる。
【００２３】
さらに本例の遠隔操作装置１においては、筺体２の左右両側面部及び前端部に、押圧操作子としての押し釦２０，２１，２２，２３，２４が設けられている。
これらの押し釦２０，２１，２２，２３，２４に夫々対応して筺体２内には、各押し釦が夫々押されたときにオンとなるスイッチが配されており、これらのスイッチによって後に詳述するような各種の機能の操作が行なわれる。
【００２４】
次に本例の遠隔操作装置１の内部に構成される回路について説明する。
図１０は本例の遠隔操作装置における内部回路を示しており、これによって明らかな如く本例の遠隔操作装置では、ＧＮＤ，ＡＤ−ＯＵＴ，ＳＨＩＦＴの３極の出力端を有している（これに対応してピンジャック４は、図９に示すような３極構造となっている）。
【００２５】
この図１０の内部回路においてＧＮＤとＡＤ−ＯＵＴの間には、１０個のスイッチＳＷ１〜１０が並列に配されており、さらに各スイッチＳＷ１〜１０の間には抵抗Ｒ１〜Ｒ９が配されている。一方、ＧＮＤとＳＨＩＦＴの間にはＳＷ１１がある。
【００２６】
ここで、本例の遠隔操作装置１において、押し釦２０を押したときにオンとなるスイッチがＳＷ１、押し釦１３（内軸９）を押し込んだときにオンとなるスイッチがＳＷ２、押し釦２１を押したときにオンとなるスイッチがＳＷ３、押し釦２２を押したときにオンとなるスイッチがＳＷ４、下段の回転操作子１０（外軸７）を右方向に回動させたときにオンとなるスイッチがＳＷ５、同、左方向に回動させたときにオンとなるスイッチがＳＷ６、上段の回転操作子１１（中軸８）を右方向に回動させたときにオンとなるスイッチがＳＷ７、同、左方向に回動させたときにオンとなるスイッチがＳＷ８、押し釦２３を押したときにオンとなるスイッチがＳＷ９、押し釦２４を押したときにオンとなるスイッチがＳＷ１０、上段の回転操作子１１（中軸８）を押し込んだときにオンとなるスイッチがＳＷ１１である。
【００２７】
そしてオーディオ機器側では、ＳＷ１〜１０の何れかがオンとなると、それに対応してＡＤ−ＯＵＴからの出力抵抗値に基いてマイクロコンピューターが各種の機能を解釈し、一方ＳＷ１１がオンとなると、ＳＨＩＦＴからの出力によってマイクロコンピューターは、ＳＷ１〜１０の機能を通常とは異なる意味に解釈する。
この処理の流れを図１１に示す。
【００２８】
上記の各スイッチＳＷ１〜１０に割り当てられる機能は、一例として表１のように設定されている。
【００２９】
【表１】
0003755154.tif 000002
【００３０】
この表に基いて、本例の遠隔操作装置１によるオーディオ機器の各種機能の操作を詳細に説明する。
本例の遠隔操作装置１において、下段の回転操作子１０（外軸７）を右方向に回動操作したときにはＳＷ５がオンとなり、これによってオーディオ機器側では「ＡＭＳ／ＳＥＥＫ  ＵＰ」の機能が解釈されて、順方向のＡＭＳ（自動選曲）が行なわれる。
これとは反対に回転操作子１０を左方向に回動操作したときにはＳＷ６がオンとなり、これによってオーディオ機器側では「ＡＭＳ／ＳＥＥＫ  ＤＯＷＮ」の機能が解釈されて、逆方向のＡＭＳが行なわれる。
【００３１】
また、上段の回転操作子１１（中軸８）を右方向に回動操作したときにはＳＷ７がオンとなり、これによってオーディオ機器側では「ＶＯＬ  ＵＰ」の機能が解釈されて、音量等が増大される。
これとは反対に回転操作子１１を左方向に回動操作したときにはＳＷ８がオンとなり、これによってオーディオ機器側では「ＶＯＬ  ＤＯＷＮ」の機能が解釈されて、音量等が減少する。
【００３２】
そして、図６のように上段の回転操作子１１を下段の回転操作子１０に結合した状態では、中軸８が押し込まれることによってＳＷ１１がオンとなり、このためオーディオ機器側ではスイッチの持つ機能がＳＨＩＦＴ＋時の意味に解釈される。
【００３３】
即ち、二段の回転操作子１０と１１が結合された状態でこれを右方向に回動操作してＳＷ５がオンとなると、オーディオ機器側では「ＤＩＳＫ／ＰＲＥＳＥＴＵＰ」の機能が解釈されて、ディスクチェンジャー内に収納されている複数枚のディスクが順方向に選択される。
これとは反対に二段の回転操作子１０と１１を左方向に回動操作してＳＷ６がオンとなると、オーディオ機器側では「ＤＩＳＫ／ＰＲＥＳＥＴ  ＤＯＷＮ」の機能が解釈されて、ディスクチェンジャー内に収納されている複数枚のディスクが逆方向に選択される。
【００３４】
尚、上記のように二段の回転操作子１０と１１を結合させた状態で回動操作したときには、ＳＷ５，ＳＷ６と同時にＳＷ７，ＳＷ８もオンとなるが、このＳＷ７とＳＷ８は表１に示される如くＳＨＩＦＴ＋時には何らの機能も設定されていないので、オーディオ機器側ではＳＷ７，ＳＷ８に関する解釈は行なわれない。
【００３５】
以上のように本例の遠隔操作装置１は、二段の回転操作子１０と１１によって、三段分に相当する機能の操作を行なえるものである。
【００３６】
さらに本例の遠隔操作装置１においては、押し釦２０を押したときにはＳＷ１がオンとなり、これによってオーディオ機器側では「ＯＦＦ」の機能が解釈されて、機器の電源が切れる。
尚、このＳＷ１においてはＳＨＩＦＴ＋時にも「ＯＦＦ」の機能が設定されているので、上段の回転操作子１１（中軸８）を押し込んだ状態で押し釦２０を押したときにも電源が切れることになる。
【００３７】
また、押し釦１３（内軸９）を押し込んだときにはＳＷ２がオンとなり、これによってオーディオ機器側では「ＳＯＵＲＣＥ」の機能が解釈される。この「ＳＯＵＲＣＥ」の機能は、音源を例えばＭＤ（ミニディスク）、ＣＤ（コンパクトディスク）、チューナー等の中から選択するもので、押し釦１３を押す度に上記の順に切り換えられる。
【００３８】
また、押し釦２１を押したときにはＳＷ３がオンとなり、これによってオーディオ機器側では「ＭＵＴＥ」の機能が解釈されて、音が一時的に消されるか、あるいは弱められる。
【００３９】
また、押し釦２２を押したときにはＳＷ４がオンとなり、これによってオーディオ機器側では「ＭＯＤＥ」の機能が解釈されて、チューナーのＦＭ／ＡＭの切り換えが行なわれる。
【００４０】
また、押し釦２３を押したときにはＳＷ９がオンとなり、これによってオーディオ機器側では「ＳＥＬ」の機能が解釈される。この「ＳＥＬ」の機能は、ＳＷ７とＳＷ８で調整される対象をボリューム（音量）、バス（低音）、トレブル（高音）の中から選択するもので、押し釦２３を押す度に上記の順に切り換えられる。
【００４１】
尚、このＳＷ９においては、ＳＨＩＦＴ＋時に「方向反転」の機能が設定されている。この「方向反転」の機能は、ＳＷ５とＳＷ６及びＳＷ７とＳＷ８における「ＵＰ」と「ＤＯＷＮ」の定義を逆に設定するもので、上段の回転操作子１１（中軸８）を押し込んだ状態で押し釦２３を押すことにより、この機能の設定が行なわれることになる。
この機能は、遠隔操作装置１の取付位置や向きの関係で、回転操作子１０，１１の回転操作方向による「ＵＰ」と「ＤＯＷＮ」を逆に設定したいときに用いるものである。
【００４２】
また、押し釦２４を押したときにはＳＷ１０がオンとなり、これによってオーディオ機器側では「ＬＩＳＴ」の機能が解釈されて、ディスクチェンジャー内に収納されている複数枚のディスク名がディスプレイ部に表示される。
【００４３】
以上のように本例の遠隔操作装置によれば、オーディオ機器における各種の機能をワンタッチで遠隔操作することができる。
【００４４】
そして特にこの遠隔操作装置１では、回転操作部において、二段の回転操作子１０と１１の操作方向の特徴付けによって操作の判別をし易い構造としてあるので、良好な操作性を保ちながら、誤操作の可能性を極めて少なく抑えることができる。
【００４５】
またこの遠隔操作装置１においては、二段の回転操作子１０と１１によって三段分の機能の操作を行なうことができ、即ち従来の三段の回転操作子を有する遠隔操作装置と同じ機能を保ちながら回転操作子の段数を一段減らすことができるので、その分だけ従来よりも部品点数が少なく抑えられ、コストダウンにつながる。
【００４６】
以上、本発明の実施例について説明したが、本発明はこの実施例の構成に限定されるものではない。
例えば、実施例では上段の回転操作子１１を押し込むことによって下段の回転操作子１０と結合させる構造としてあるが、上段の回転操作子１１を持ち上げることによって下段の回転操作子１０と結合される構造としてもよい。
また実施例においては、上段の回転操作子１１を軸方向に移動させることによって下段の回転操作子１０と結合させる構造となっているが、これとは反対に下段の回転操作子１０を軸方向に移動させて上段の回転操作子１１に結合させる構造としてもよい。
さらに回転操作子は実施例に示した如き二段構成に限ることなく、三段以上の構成としてもよいことは勿論である。
また、マイクロコンピューターをこの遠隔操作装置に搭載し、デジタルデーターを使用してオーディオ機器側のマイクロコンピューターにＳＷ１〜ＳＷ１０の機能を解釈させることも可能である。
【００４７】
【発明の効果】
以上の実施例の説明によって明らかなように本発明は、
多数枚ディスクチェンジャーを備えたオーディオ機器の動作を遠隔操作する遠隔操作装置において、
各々独立に軸回り方向に回動操作可能で、何れか一方が軸方向に移動操作可能な２段の回転操作子と、
２段の回転操作子の一方の回転操作子を軸方向に移動させて他方の回転操作子に機械的に結合させることにより２段の回転操作子を同時に回転操作可能とする結合手段と、
２段の回転操作子の各々の回転によって操作されるスイッチと、
一方の回転操作子の軸方向の移動によって操作されるスイッチと、
各スイッチの操作に基いてオーディオ機器の動作を制御する制御手段と、
を備え、
制御手段は、２段の回転操作子が上記結合手段によって機械的に結合されて同時に回転操作されたときにディスクチェンジャー内のディスク選択動作が行なわれるようにオーディオ機器を制御することを特徴とするものである。
【００４８】
即ち本発明の遠隔操作装置は、ディスクチェンジャー内のディスク選択動作を行なう場合に、２段の回転操作子の一方の回転操作子を軸方向に移動させて他方の回転操作子に機械的に結合させ、２段の回転操作子を同時に回転操作することで、それに応じたスイッチ操作によってディスクチェンジャー内のディスク選択動作が行なわれるように制御手段がオーディオ機器を制御する。このように本発明の遠隔操作装置では、ディスクチェンジャー内のディスクの選択動作を行なう場合には、２段の回転操作子の一方の回転操作子を軸方向に移動させて他方の回転操作子に機械的に結合させ、２段の回転操作子を同時に回転操作する必要があり、この操作は他の操作に比べて簡単には行なえないので、ディスク選択動作に係る誤操作を確実に防止することができるものである。
【００４９】
即ち本発明の遠隔操作装置は、ディスクチェンジャーの遠隔操作において、複数段の回転操作子のうち所定の回転操作子を軸方向に操作して他段の回転操作子と機械的に結合することによって同時に他段の回転操作子も回転可能とし、この状態において回転操作子を回転操作することによってディスクチェンジャー内の所定のディスクを選択するようにしたもので、他の操作に比べディスクの選択は単体のスイッチによって簡単に操作できないようにしたところに特徴がある。即ち本発明の遠隔操作装置においてディスクチェンジャー内のディスクの選択操作を行なう場合は、所定の回転操作子を軸方向に操作して他段の回転操作子と機械的に結合した上でスイッチを操作する必要があるため、ディスク選択時の誤操作を確実に防止することができる。従って、従来のように回転操作子を誤って操作しディスクを選択し直すのに相当の時間と手間がかかるといった問題が生じることはなく、特に車載用のディスクチェンジャーにおいて手探り状態で操作する場合でもディスク選択時の誤操作を確実に防止することができる。
【図面の簡単な説明】
【図１】実施例を示す遠隔操作装置の斜視図である。
【図２】遠隔操作装置の側面図である。
【図３】遠隔操作装置の正面図である。
【図４】遠隔操作装置の平面図である。
【図５】遠隔操作装置の縦断側面図である。
【図６】遠隔操作装置の縦断側面図で、上段の回転操作子を下段の回転操作子に結合させた状態である。
【図７】遠隔操作装置における要部（結合手段）の斜視図である。
【図８】遠隔操作装置における要部（結合手段）の他の構造例である。
【図９】遠隔操作装置におけるピンジャックの平面図である。
【図１０】遠隔操作装置の内部の回路図である。
【図１１】遠隔操作装置の操作による機能の判断処理の流れ図である。
【符号の説明】
１    遠隔操作装置
１０  下段の回転操作子
１１  上段の回転操作子
１６  結合手段
１７  係合凹部
１８  係合凸起
ＳＷ５、ＳＷ６  下段の回転操作子を回動操作したときにオンとなるスイッチＳＷ７、ＳＷ８  上段の回転操作子を回動操作したときにオンとなるスイッチＳＷ１１        上段の回転操作子と下段の回転操作子が結合された状態でオンとなるスイッチ
【図１】
0003755154.tif 000003
【図２】
0003755154.tif 000004
【図３】
0003755154.tif 000005
【図４】
0003755154.tif 000006
【図５】
0003755154.tif 000007
【図６】
0003755154.tif 000008
【図７】
0003755154.tif 000009
【図８】
0003755154.tif 000010
【図９】
0003755154.tif 000011
【図１０】
0003755154.tif 000012
【図１１】
0003755154.tif 000013